(57)【特許請求の範囲】
【請求項１】
高速データパケット接続通信システムのノードＢで、ＵＥに複数のコードチャネルを通して使用者データを伝送する前に、制御チャネルを通して前記使用者データを拡散するために割り当てられる連続する直交コードに関する情報を伝送する方法において、
割り当てられた直交コードのうち開始直交コードと高速データパケット接続通信システムに割り当てできる複数の連続する直交コードの１番目の直交コードとの間のオフセットを決定する過程と、
前記複数のコードチャネルの数である前記開始直交コードからカウントされる前記割り当てられた直交コードの数を決定する過程と、
前記オフセット及び前記直交コード数を示す直交コード情報を形成し、前記直交コード情報を前記ＵＥに伝送する過程と、
を含むことを特徴とする方法。
【請求項２】
前記直交コード情報は、前記ＵＥと前記ノードＢとの間に予め設定された複数の論理的識別子のいずれか１つにマッピングされ、前記論理的識別子は、前記使用者データに割り当てられる直交コードを示すものであることを特徴とする請求項１記載の方法。
【請求項３】
前記複数の論理的識別子のそれぞれは、割り当てできる直交コードのそれぞれに対して発生される複数の直交コード情報のいずれか１つにマッピングされることを特徴とする請求項２記載の方法。
【請求項４】
前記直交コードは、直交可変拡散係数（Ｏｒｔｈｏｇｏｎａｌ  Ｖａｒｉａｂｌｅ  Ｓｐｒｅａｄｉｎｇ  Ｆａｃｔｏｒ：  ＯＶＳＦ）コードであることを特徴とする請求項１記載の方法。
【請求項５】
使用できる直交コードの最大数を有する高速データパケット接続通信システムのために直交コードを割り当てる方法において、
第１直交コードと複数の割り当てられた直交コードのうち第１直交コードである開始直交コートとの差を示すオフセットを決定する過程と、
前記開始直交コードから割り当てられた直交コードの数を決定する過程と、
前記オフセット及び前記割り当てられた直交コードの数を含む直交コード情報を伝送する過程と、
を含むことを特徴とする方法。
【請求項６】
前記オフセット及び前記直交コードの数のうち少なくとも１つは、ＨＳＤＰＡのために使用されるコードの総数を示すビットの数から構成されることを特徴とする請求項５記載の方法。
【請求項７】
前記オフセット及び前記直交コードの数のうちいずれか１つは、ビットの最大数を示す第１ビット数から構成され、残りの１つは、前記第１ビット数より１ビットが小さい第２ビット数から構成されることを特徴とする請求項５記載の方法。
【請求項８】
高速データパケット接続通信システムのＵＥで、複数のコードチャネルを通してノードＢから使用者データが受信される前に、前記ノードＢから制御チャネルを通して拡散するために前記使用者データに割り当てられる直交コードに関する情報を受信する方法において、
所定の受信されるチャネル信号を逆拡散する過程と、
前記逆拡散されたチャネル信号から前記使用者データの直交コード情報を検出する過程と、
前記直交コード情報から、複数の割り当てられた連続する直交コードのうち開始直交コードと前記高速データパケット接続通信システムに割り当てできる複数の連続する直交コードのうち第１直交コードとの間のオフセット及び前記コードチャネルの数である前記直交コードの数を検出する過程と、
を含むことを特徴とする方法。
【請求項９】
前記直交コード情報は、前記ＵＥと前記ノードＢとの間に予め設定された複数の論理的識別子のいずれか１つにマッピングされ、前記論理的識別子は、前記使用者データに割り当てられる直交コードを示すものであることを特徴とする請求項８記載の方法。
【請求項１０】
前記複数の論理的識別子のそれぞれは、割り当てできる直交コードのそれぞれに対して発生される複数の直交コード情報のいずれか１つにマッピングされることを特徴とする請求項９記載の方法。
【請求項１１】
前記直交コードは、直交可変拡散係数（ＯＶＳＦ）コードであることを特徴とする請求項８記載の方法。
【請求項１２】
高速データパケット接続通信システムで、複数のコードチャネルを通して使用者データが送受信される前に、拡散のために前記使用者データに割り当てられる連続する直交コードに関する情報を送受信する方法において、
ノードＢによって前記割り当てられた直交コードのうち開始直交コードと前記高速データパケット接続通信システムに割り当てできる複数の連続する直交コードのうち第１直交コードとのオフセット及び前記複数のコードチャネルの数である前記開始直交コードからカウントされる前記割り当てられた直交コードの数を示す直交コード情報を形成する過程と、
前記ノードＢによって所定のチャネルを通して前記直交コード情報をＵＥに伝送する過程と、
前記ＵＥによって、所定のチャネルを受信し、前記チャネル信号から前記直交コード情報を検出する過程と、
前記ＵＥによって前記直交コード情報からオフセット及び前記直交コードの数を検出する過程と、
を含むことを特徴とする方法。
【請求項１３】
前記直交コード情報は、前記ＵＥと前記ノードＢとの間に予め設定された複数の論理的識別子のいずれか１つにマッピングされ、前記論理的識別子は、前記使用者データに割り当てられる直交コードを示すものであることを特徴とする請求項１２記載の方法。
【請求項１４】
前記複数の論理的識別子のそれぞれは、割り当てできる直交コードのそれぞれに対して発生される複数の直交コード情報のいずれか１つにマッピングされることを特徴とする請求項１３記載の方法。
【請求項１５】
前記直交コードは、直交可変拡散係数（ＯＶＳＦ）コードであることを特徴とする請求項１２記載の方法。
【請求項１６】
使用できる直交コードの最大数を有する高速データパケット接続通信システムのために割り当てられた直交コードに関する情報を受信する方法において、
第１直交コードと複数の割り当てられた直交コードのうち第１直交コードである開始直交コートとの差を示すオフセットを検出する過程と、
前記開始直交コードから割り当てられる直交コードの数を検出する過程と、
前記割り当てられた直交コードを使用して所定のチャネルを通して使用者データを受信する過程と、
を含むことを特徴とする方法。
【請求項１７】
前記オフセット及び前記直交コードの数のうち少なくとも１つは、ＨＳＤＰＡのために使用されるコードの総数を示すビットの数から構成されることを特徴とする請求項１６記載の方法。
【請求項１８】
前記オフセット及び前記直交コードの数のうちいずれか１つは、ビットの最大数を示す第１ビット数から構成され、残りの１つは、前記第１ビット数より１ビットが小さい第２ビット数から構成されることを特徴とする請求項１６記載の方法。
【発明の詳細な説明】
【０００１】
【発明の属する技術分野】
本発明は、高速データパケット接続方式を使用する通信システムに関し、特に、使用者データに割り当てられる直交可変拡散係数（Ｏｒｔｈｏｇｏｎａｌ  Ｖａｒｉａｂｌｅ  Ｓｐｒｅａｄｉｎｇ  Ｆａｃｔｏｒ：  以下、ＯＶＳＦと称する）コード情報を送受信する方法に関する。
【０００２】
【従来の技術】
一般的に、高速データパケット接続（Ｈｉｇｈ  Ｓｐｅｅｄ  Ｄａｔａ  Ｐａｃｋｅｔ  Ａｃｃｅｓｓ：  以下、ＨＳＤＰＡと称する）方式は、ＵＭＴＳ（Ｕｎｉｖｅｒｓａｌ  Ｍｏｂｉｌｅ  Ｔｅｒｒｅｓｔｒｉａｌ  Ｓｙｓｔｅｍ）通信システムにおいて、ダウンリンク高速パケットデータ伝送を支援するためのダウンリンクデータチャネルである高速ダウンリンク共通チャネル（Ｈｉｇｈ  Ｓｐｅｅｄ−Ｄｏｗｎｌｉｎｋ  Ｓｈａｒｅｄ  Ｃｈａｎｎｅｌ：  以下、ＨＳ−ＤＳＣＨと称する）及びそれに関連した制御チャネルによって端末に高速データを伝送するデータ伝送方式の総称である。前記ＨＳＤＰＡ方式を支援するために、適応的変調及びコーディング（Ａｄａｐｔｉｖｅ  Ｍｏｄｕｌａｔｉｏｎ  ａｎｄ  Ｃｏｄｉｎｇ：  以下、ＡＭＣと称する）方式、複合再伝送（Ｈｙｂｒｉｄ  Ａｕｔｏｍａｔｉｃ  Ｒｅｔｒａｎｓｍｉｓｓｉｏｎ  Ｒｅｑｕｅｓｔ：  以下、ＨＡＲＱと称する）方式、及び速いセル選択（Ｆａｓｔ  Ｃｅｌｌ  Ｓｅｌｅｃｔ：  以下、ＦＣＳと称する）方式が提案された。
【０００３】
ここで、前記ＨＳＤＰＡ方式を支援するためＡＭＣ方式、ＦＣＳ方式、及びＨＡＲＱ方式に関して説明する。
【０００４】
第１に、ＡＭＣ方式に関して説明する。
前記ＡＭＣ方式は、特定の基地局（Ｎｏｄｅ  Ｂ：  以下、ノードＢと称する）と使用者端末機（Ｕｓｅｒ  Ｅｑｕｉｐｍｅｎｔ：  以下、ＵＥと称する）との間のチャネル状態及び受信されたＵＥの信号の品質によって異なる変調方式及びコーディング方式を決定して、前記ノードＢの全体の使用効率を向上させるデータ伝送方式である。従って、前記ＡＭＣ方式は、複数の変調及びコーディング方式（Ｍｏｄｕｌａｔｉｏｎ  ａｎｄ  Ｃｏｄｉｎｇ  Ｓｃｈｅｍｅ：以下、ＭＣＳと称する）を有し、前記ＭＣＳは、レベル１乃至レベルｎに定義することができる。つまり、前記ＡＭＣ方式は、前記ＵＥと現在無線接続中のノードＢとの間のチャネル状態によって、前記ＭＣＳのレベルを適応的選択することである。
【０００５】
第２に、ＦＣＳ方式に関して説明する。
前記ＦＣＳ方式は、前記ＨＳＤＰＡ方式を使用しているＵＥがソフトハンドオーバー（ｓｏｆｔ  ｈａｎｄｏｖｅｒ）領域に位置する場合、要求されるデータの伝送のために最適のセルを選択する方法である。前記ＦＣＳ方式において、（１）前記ＨＳＤＰＡ方式を使用しているＵＥが任意の第１ノードＢ及び任意の第２ノードＢのセル重畳地域に進入する場合、前記ＵＥは、複数のノードＢ（セル）との無線リンクを設定する。この時、前記ＵＥと無線リンクを設定した前記ノードＢ（セル）の集合をアクティブセット（ａｃｔｉｖｅ  ｓｅｔ）と称する。（２）前記アクティブセットに含まれたセルのうち最良のチャネル状態を維持するセルのみからＨＳＤＰＡ方式用のパケットデータを受信して、全体的な干渉（ｉｎｔｅｒｆｅｒｅｎｃｅ）を減少させる。ここで、前記アクティブセットにおいてチャネル状態が最良でＨＳＤＰＡパケットデータを伝送するセルをベストセル（ｂｅｓｔ  ｃｅｌｌ）と称し、前記ＵＥは、前記アクティブセットに属するセルのチャネル状態を周期的に検査して、現在のベストセルより良好のチャネル状態を維持するセルが存在するか否かをチェックする。こうしたセルが存在する場合、前記ＵＥは、前記現在のベストセルを新しいベストセルに変更するために、ベストセル指示者（Ｂｅｓｔ  Ｃｅｌｌ  Ｉｎｄｉｃａｔｏｒ：  以下、ＢＣＩと）称する）を前記アクティブセットに属するセルに伝送する。前記ＢＣＩは、前記新しいベストセルの識別子（ＩＤ）を含む。前記アクティブセット内のセルは、前記ＢＣＩを受信すると、前記ＢＣＩに含まれたセル識別子を検査する。それで、前記アクティブセット内のセルは、前記ＢＣＩが自分に対応するＢＣＩであるか否かを検査し、前記検査結果によって、前記新しいベストセルは、ＨＳ−ＤＳＣＨを利用して前記ＵＥにＨＳＤＰＡパケットデータを伝送して、全体的な干渉を減少させる。
【０００６】
第３に、ＨＡＲＱ方式（特に、ｎチャネル停止−待機複合再伝送（ｎ−ｃｈａｎｎｅｌ  Ｓｔｏｐ  Ａｎｄ  Ｗａｉｔ  Ｈｙｂｒｉｄ  Ａｕｔｏｍａｔｉｃ  Ｒｅｔｒａｎｓｍｉｓｓｉｏｎ  Ｒｅｑｕｅｓｔ：  以下、ｎ−ｃｈａｎｎｅｌ  ＳＡＷ  ＨＡＲＱと称する））に関して説明する。
【０００７】
前記ＨＡＲＱ方式は、ＡＲＱ（Ａｕｔｏｍａｔｉｃ  Ｒｅｔｒａｎｓｍｉｓｓｉｏｎ  Ｒｅｑｕｅｓｔ）方式の伝送効率を増加させるために、下記のような２つの方案を新しく適用したことである。第１の方案は、ＵＥとノードＢとの間に再伝送要求及び前記再伝送要求に対する応答を遂行することであり、第２の方案は、エラーが発生したデータを一時的に貯蔵して対応する再伝送データとコンバイン（ｃｏｍｂｉｎｉｎｇ）して伝送することである。さらに、ＨＳＤＰＡ方式においては、従来の停止−待機自動再伝送（Ｓｔｏｐ  ａｎｄ  Ｗａｉｔ  ＡＲＱ：  以下、ＳＡＷ  ＡＲＱと称する）方式の短所を補完するために、前記ｎ−ｃｈａｎｎｅｌ  ＳＡＷ  ＨＡＲＱという方式を導入した。  前記ＳＡＷ  ＡＲＱ方式において、以前のパケットデータに対するＡＣＫを受信するまで、次のパケットデータは伝送されない。従って、前記パケットデータが現在伝送できても、前記ＡＣＫを待機するために遅延されるという問題点がある。しかしながら、前記ｎ−ｃｈａｎｎｅｌ  ＳＡＷ  ＨＡＲＱ方式においては、前記以前のパケットデータに対するＡＣＫを受信せずにパケットデータを連続的に伝送して、チャネルの使用効率を高めることができる。つまり、ＵＥとノードＢとの間にｎ個の論理的チャネル（Ｌｏｇｉｃａｌ  Ｃｈａｎｎｅｌ）を設定し、特定の時間またはチャネル番号によって前記ｎ個のチャネルを識別することができる場合、前記ＵＥは、前記パケットデータを受信する任意の時点で、前記受信されたパケットデータが伝送された論理的チャネルを認知することができる。従って、前記ＵＥは、受信順序の通りに前記パケットデータを再構成するか、それとも前記パケットデータをソフトコンバイニング（ｓｏｆｔ  ｃｏｍｂｉｎｉｎｇ）することができる。
【０００８】
前記ＡＭＣ方式、ＦＣＳ方式、及びＨＡＲＱ方式を支援して通信効率を高める前記ＨＳＤＰＡ方式を使用する通信システムは、全体のダウンリンク伝送資源のうち一部の伝送資源を複数のＵＥが共有するシステムである。前記ダウンリンク伝送資源は、伝送電力（ｔｒａｎｓｍｉｓｓｉｏｎ  ｐｏｗｅｒ）及び直交コード（ｏｒｔｈｏｇｏｎａｌ  ｃｏｄｅ）であるＯＶＳＦコードを含む。前記ＯＶＳＦコードの場合、拡散係数（Ｓｐｒｅａｄｉｎｇ  Ｆａｃｔｏｒ：  以下、ＳＦと称する）が１６である場合（ＳＦ＝１６）、１０個のＯＶＳＦコードを前記ＨＳＤＰＡ通信システムに使用し、前記ＳＦが３２である場合（ＳＦ＝３２）は、２０個のＯＶＳＦコードを前記ＨＳＤＰＡ通信システムに使用することが考慮されている。
【０００９】
前記ＨＳＤＰＡ通信システムにおいて、使用できる複数のＯＶＳＦコードは、特定の同一時間に複数のＵＥが共有することができる。つまり、前記ＨＳＤＰＡ通信システム内の特定の同一時間に複数のＵＥ間にＯＶＳＦコードの多重化ができる。以下、図１を参照してＯＶＳＦコード多重化を説明する。
【００１０】
図１は、通常的なＨＳＤＰＡ通信システムにおいて、ＳＦが１６である場合のＯＶＳＦコード割り当てを示す図である。
【００１１】
図１を参照すると、各ＯＶＳＦコードをコードツリー（ｃｏｄｅ  ｔｒｅｅ）の位置によってＣ（ｉ，ｊ）として表示する。前記Ｃ（ｉ，ｊ）において、前記変数ｉは、前記ＳＦ値を示し、前記変数ｊは、前記ＯＶＳＦコードツリーの最左側からの対応するＯＶＳＦコードの位置を示す一連番号である。例えば、前記Ｃ（１６，０）は、前記ＳＦが１６であり、前記ＯＶＳＦコードツリーの最左から１番目の位置に存在するＯＶＳＦコードを示す。図１は、前記ＳＦが１６である場合の７番目乃至１６番目のＯＶＳＦコード、つまり、Ｃ（１６，６）乃至Ｃ（１６，１５）間での１０個のＯＶＳＦコードを前記ＨＳＤＰＡ通信システムに割り当てるケースを示す。前記１０個のＯＶＳＦコードは、複数のＵＥに対して多重化されることができ、例えば、表１のようにＯＶＳＦコードが多重化されることができる。
【００１２】
【表１】
0003614413.tif 000002
【００１３】
表１において、ＵＥ  Ａ、Ｂ、及びＣは、任意の時点ｔ０、ｔ１、及びｔ２で前記ＨＳＤＰＡ通信システムに割り当てられたＯＶＳＦコードを利用してコード多重化を遂行する。前記ノードＢは、各ＵＥの使用者データ（ｕｓｅｒ  ｄａｔａ）の量及び前記ノードと各ＵＥとの間のチャネル状況を考慮して、各ＵＥに割り当てられるＯＶＳＦコードの個数及びＯＶＳＦコードツリー上に位置を決定する。
【００１４】
一方、前記ＨＳＤＰＡ通信システムにおいて、前記ＯＶＳＦコード情報をダウンリンク制御チャネルを通して各ＵＥに伝達することを提案している。これを詳細に説明するために、まず、前記ＨＳＤＰＡ通信システムのチャネル構造を説明する。
【００１５】
前記ＨＳＤＰＡ通信システムは、ダウンリンク使用者データ（ｕｓｅｒ  ｄａｔａ）を伝送するＨＳ−ＤＳＣＨ、ダウンリンク制御チャネル、及びアップリンク（ｕｐｌｉｎｋ）制御チャネルから構成される。前記ＨＳ−ＤＳＣＨは、前記ＨＳＤＰＡ通信システムに割り当てられたＯＶＳＦコードを利用してＵＥに使用者データを伝送するチャネルである。前記ＨＳＤＰＡ通信システムのＡＭＣ方式、ＨＡＲＱ方式、及びＦＣＳ方式を支援するために、前記ノードＢと前記ＵＥとに間に前記ダウンリンク制御チャネル及び前記アップリンク制御チャネルを通して制御情報（ｃｏｎｔｒｏｌ
ｉｎｆｏｒｍａｔｉｏｎ）が交換される必要がある。
【００１６】
前記アップリンク制御チャネルは、前記ＵＥが前記ノードＢに周期的に報告するチャネル品質情報（Ｃｈａｎｎｅｌ  Ｑｕａｌｉｔｙ  Ｉｎｆｏｒｍａｔｉｏｎ：  ＣＱＩ）、前記ＵＥが受信した使用者データにエラーが存在するか否かを報告するＡＣＫ（ａｃｋｎｏｗｌｅｄｇｅｍｅｎｔ）／ＮＡＣＫ（Ｎｅｇａｔｉｖｅ  ａｃｋｎｏｗｌｅｄｇｅｍｅｎｔ）信号、及びベストセル情報を伝送する。さらに、前記ダウンリンク制御チャネルは、任意のＵＥにＨＳ−ＤＳＣＨを通して使用者データが伝達されることを示す高速ダウンリンク共通チャネル指示者（ＨＳ−ＤＳＣＨ  Ｉｎｄｉｃａｔｏｒ：  以下、ＨＩと称する）、前記ＵＥに使用者データを伝送するために使用されるＭＣＳレベルに関する情報、及び割り当てられるＯＶＳＦコードに関する情報を伝送する。
【００１７】
図２は、通常のＨＳＤＰＡ通信システムにおいて使用者データに割り当てられるＯＶＳＦコードに関する情報を送信する送信器のブロック図である。
【００１８】
図２を参照すると、前記送信器は、前記ＨＳＤＰＡ通信システムのノードＢにおいて、前記ＨＳ−ＤＳＣＨを通して使用者データ伝送及びダウンリンク制御チャネルを通した制御情報伝送を遂行する。前記送信器は、ＡＭＣ制御器２０１、スケジューラ（ｓｃｈｅｄｕｌｅｒ）２０２、伝送バッファ２０３、ターボエンコーダ（ｔｕｒｂｏ  ｅｎｃｏｄｅｒ）２０４、使用者データ送信器２０５、制御情報生成器２０６、チャネル  エンコーダ（ｃｈａｎｎｅｌ  ｅｎｃｏｄｅｒ）２０７、及び制御データ送信器２０８を含む。前記伝送バッファ２０３は、上位階層から使用者データを受信してバッファリングし、前記スケジューラ２０２の制御によって前記使用者データを前記ターボエンコーダ２０４に出力する。前記ターボエンコーダ２０４は、前記ＡＭＣ制御器２０１の制御によって前記使用者データをターボエンコーディング（ｔｕｒｂｏ  ｅｎｃｏｄｉｎｇ）する。前記ＡＭＣ制御器２０１は、前記ノードＢと前記ＵＥとの間のチャネル状態によって前記使用者データに適用するＭＣＳレベルを決定し、前記決定されたＭＣＳレベルによって前記ターボエンコーダ２０４が前記使用者データをエンコーディングするように制御する。前記使用者データ送信器２０５は、前記ターボエンコーダ２０４がエンコーディングした使用者データを前記ＭＣＳレベルによって変調（ｍｏｄｕｌａｔｉｏｎ）してチャネル化（ｃｈａｎｎｅｌｉｚａｔｉｏｎ）し、無線リンク（ｒａｄｉｏ  ｌｉｎｋ）を通して対応するＵＥに伝送する。
【００１９】
前記スケジューラ２０２は、前記チャネル化に使用されたＯＶＳＦコードに関する情報を制御し、ＨＳＤＰＡ通信システムを使用する他のＵＥの使用者データの量及び種類を考慮して、前記ＵＥの使用者データ伝送時点及び使用者データの伝送に使用されるＯＶＳＦコードを決定する。
【００２０】
前記制御情報生成器２０６は、前記ＡＭＣ制御器２０１から受信された前記決定されたＭＣＳレベルに関する情報及び前記スケジューラ２０２から受信された前記ＯＶＳＦコードに関する情報を無線チャネルに適したフォーマットに変換する。前記制御情報が専用物理制御チャネル（Ｄｅｄｉｃａｔｅｄ  Ｐｈｙｓｉｃａｌ  Ｃｏｎｔｒｏｌ  Ｃｈａｎｎｅｌ：  以下、ＤＰＣＣＨと称する）を通して伝送される場合、前記制御情報生成器２０６は、前記制御情報をＤＰＣＣＨ伝送フォーマットに変換する。前記チャネルエンコーダ２０７は、前記制御情報生成器２０６から受信された前記制御情報に対してチャネルエンコーディングを遂行する。ここで、前記チャネルエンコーダ２０７において遂行されるチャネルエンコーディング方式は、コンボルーションコーディング（ｃｏｎｖｏｌｕｔｉｏｎａｌ  ｃｏｄｉｎｇ）またはターボコーディング（ｔｕｒｂｏ  ｃｏｄｉｎｇ）である。前記制御データ送信器２０８は、前記チャネルエンコーダ２０７から出力されたチャネルエンコーディングされた制御情報に対して変調及びチャネル化を遂行し、前記制御情報を無線リンクを通してＵＥに伝送する。
【００２１】
図３は、通常のＨＳＤＰＡ通信システムにおいてＯＶＳＦコード情報を受信する受信器のブロック図である。
【００２２】
図３を参照すると、前記受信器は、前記ＵＥに存在し、前記ＨＳ−ＤＳＣＨを通して使用者データを受信し、ダウンリンク制御チャネルを通して制御情報を受信する。前記受信器は、制御データ受信器３０１、チャネルデコーダ（ｃｈａｎｎｅｌ  ｄｅｃｏｄｅｒ）３０２、制御情報解読器（ｃｏｎｔｒｏｌ  ｉｎｆｏｒｍａｔｉｏｎ  ｉｎｔｅｒｐｒｅｔｅｒ）３０３、使用者データ受信器３０４、ターボデコーダ（ｔｕｒｂｏ  ｄｅｃｏｄｅｒ）３０５、及び受信バッファ３０６から構成される。
【００２３】
無線リンクを通してデータが前記受信器に受信されると、前記受信データは、前記制御データ受信器３０１及び前記使用者データ受信器３０４に入力される。前記無線リンクは、ダウンリンク制御データを送信するために前記ノードＢと前記ＵＥとの間に予め設定されていたチャネルであり、例えば、ＤＰＣＣＨがある。前記制御データ受信器３０１は、前記受信データを逆拡散（ｄｅｓｐｒｅａｄｉｎｇ）及び復調（ｄｅｍｏｄｕｌａｔｉｏｎ）する。
【００２４】
前記チャネルデコーダ３０２は、前記制御データ受信器３０１から受信された信号を前記送信器において使用されたチャネルエンコーディング方式に対応するチャネルデコーディング方式によってチャネルデコーディングする。前記制御情報解読器３０３は、前記チャネルデコーダ３０２から受信された前記制御データからＭＣＳレベル情報及びＯＶＳＦコード情報を解読する。前記ＭＣＳレベル情報は、前記使用者データ受信器３０４及び前記ターボデコーダ３０５に出力され、前記ＯＶＳＦコード情報は、前記使用者データ受信器３０４に出力される。
【００２５】
前記使用者データ受信器３０４は、前記ＯＶＳＦコード情報を利用して前記受信データに対して逆拡散を遂行し、前記ＭＣＳレベル情報を利用して復調を遂行する。
【００２６】
前記ターボデコーダ３０５は、前記ＭＣＳレベルを利用して、前記送信器において使用されたターボエンコーディング方式に対応するターボデコーディング方式によって、前記使用者データ受信器３０４から受信された信号に対してターボデコーディングを遂行する。前記ターボデコーダ３０５は、前記ターボデコーディングされた信号を前記受信バッファ３０６に出力し、前記受信バッファ３０６は、前記ターボデコーダ３０５から受信された信号をバッファリングし、前記バッファリングされた信号、つまり、使用者データを所定の制御によって該当時点で上位階層に伝達する。従って、前記受信器は、前記使用者データに割り当てられたＯＶＳＦコード情報及びＭＣＳレベルを利用して、前記ノードＢから使用者データを無線リンクを通して受信する。
【００２７】
前述したように、前記ＨＳＤＰＡ通信システムにおいて、前記送信器は、使用者データに割り当てられるＯＶＳＦコード情報を前記受信器に伝送すべきであり、それによって、前記受信器は、前記ＯＶＳＦコード情報を利用して前記使用者データを検出することができる。従って、前記ＨＳＤＰＡ通信システムにおいては、前記使用者データに割り当てられるＯＶＳＦコードの１番目のＯＶＳＦコード及びＯＶＳＦコードの個数を前記ＵＥに知らせるために、前記ＯＶＳＦコード情報を効率的に伝送する方式が考慮されている。
【００２８】
表１に示す状況、つまり、ＯＶＳＦコードＣ（１６，５）〜Ｃ（１６，１５）を前記ＨＳＤＰＡ通信システムに割り当てた状況に例えて説明する。任意の時点ｔ０でＯＶＳＦコードＣ（１６，５）及びＣ（１６，６）を使用して任意のＵＥ  Ａに使用者データを伝送するためには、前記時点ｔ０より早い任意の時点で前記ＵＥ  Ａに前記ＯＶＳＦコード情報を伝送すべきである。前記ＯＶＳＦコード情報は表２に示すように構成されることができる。
【００２９】
【表２】
0003614413.tif 000003
【００３０】
表２において、ＳＰ（Ｓｔａｒｔ  Ｐｏｉｎｔ：  以下、ＳＰと称する）は、前記ＯＶＳＦコードツリー上に使用者データに割り当てられるＯＶＳＦコードの開始点を示す。前記ＯＶＳＦコードツリーにおいて、最左側は００００に表現され、最右側は１１１１に表現される。表２において、ＮＣ（Ｎｕｍｂｅｒ  ｏｆ  Ｃｏｄｅ：  以下、ＮＣと称する）は、前記使用者データに割り当てられるＯＶＳＦコードの個数を示し、２進数で表現される。例えば、ＳＦ＝１６である１０個のＯＶＳＦコードがＨＳＤＰＡ通信システムに割り当てられた場合、前記ＳＰを表現するためには４ビットが必要であり、前記ＮＣを表現するためには４ビットが必要である。従って、ＯＶＳＦコード情報は、残りの８ビットで伝達される。
【００３１】
前記ＯＶＳＦコード情報の表現を一般化するために、ＳＦ＝ｎであるＮＨ個のＯＶＳＦコードが前記ＨＳＤＰＡ通信システムに割り当てられる場合、前記ＳＰを表現するためのビット数はＲ（ｌｏｇ２ｎ）である。ここで、前記Ｒ（ｘ）は、任意の実数ｘより大きいか同一である整数である。さらに、１つのＵＥに複数のＯＶＳＦコードが割り当てられる場合、前記ＯＶＳＦコードツリー上において連続したＯＶＳＦコードが割り当てられると仮定する。
【００３２】
前記ＳＰ及び前記ＮＣとして表現されるＯＶＳＦコード情報は、図２及び図３において説明した制御情報のうち１つであり、前記ノードＢから無線リンクを通して前記ＵＥに伝送される。前記ＯＶＳＦコード情報は、前記ＨＳ−ＤＳＣＨを通して使用者データが伝送される度に、ＤＰＣＣＨのようなダウンリンク制御チャネルを通して前記ＵＥに伝送されるので、前記ＯＶＳＦコード情報のサイズは最小化することが望ましい。しかしながら、ＳＰ及びＮＣとして表現されるＯＶＳＦコードは、実際必要以上の多くのビットを必要とする。
【００３３】
【発明が解決しようとする課題】
従って、本発明の目的は、高速データパケット接続通信システムにおいて、使用者データに割り当てられるＯＶＳＦコードに関する情報を送受信する方法を提供することにある。
【００３４】
本発明の他の目的は、高速データパケット接続通信システムにおいて、使用者データに割り当てられるＯＶＳＦコードに関する情報としてＯＶＳＦコードのオフセット情報及びＯＶＳＦコードの個数情報を送受信する方法を提供することにある。
【００３５】
【課題を解決するための手段】
前述した目的を達成するための本発明において、ノードＢは、割り当てられた直交コードのうち開始直交コードと高速データパケット接続通信システムに割り当てできる複数の連続する直交コードの１番目の直交コードとの間のオフセットを決定し、前記複数のコードチャネルの数である前記開始直交コードからカウントされる前記割り当てられた直交コードの数を決定し、前記オフセット及び前記直交コード数を示す直交コード情報を形成し、前記直交コード情報を前記ＵＥに伝送する。
【００３６】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００３７】
本発明において、ＨＳＤＰＡ通信システムにおいて、ノードＢからＵＥに伝送されるＯＶＳＦコード情報は、ＵＥに割り当てできる全てのＯＶＳＦコードに対して生成される。ＯＶＳＦコード割り当てが前記ＵＥによって決定される場合、割り当てられるＯＶＳＦコードのオフセット及び個数を含む対応するＯＶＳＦコード情報は、前記ＵＥに伝送される。ここで、前記オフセットは、ＯＶＳＦコードツリー上で使用者データに割り当てられるＯＶＳＦコードの開始点である。
【００３８】
割り当てできるＯＶＳＦコードを考慮したＯＶＳＦコードの生成において、ＳＦ＝１６である１０個のＯＶＳＦコード（つまり、７番目のＯＶＳＦコード乃至１６番目のＯＶＳＦコード）、例えば、Ｃ（１６，６）乃至Ｃ（１６，１５）の１０個のＯＶＳＦコードが前記ＨＳＤＰＡ通信システムに割り当てられると仮定して説明する。前記ＵＥに対して割り当てできる全てのＯＶＳＦコードを表３に示す。
【００３９】
【表３】
0003614413.tif 000004
【００４０】
表３を参照すると、前記ＵＥに割り当てられるＯＶＳＦコードの数（ＮＵ）が前記ＨＳＤＰＡ通信システムに割り当てられるＯＶＳＦコードの数（ＮＨ）と同一である場合、発生できるケースの数は、１である。ＮＵがＮＨより１の分だけ小さい場合、つまり、ＮＵが９である場合、発生できるケースの数は２であり、［Ｃ（１６，５）〜Ｃ（１６，１４）］または［Ｃ（１６，７）〜Ｃ（１６，１５）］が前記ＵＥに割り当てられるケースである。ＮＵが８である場合、発生できるケースの数は３である。
【００４１】
従って、前記ＨＳＤＰＡ通信システムにおいて前記ＵＥに対して発生できる全てのケースのコードの総数（ｔｏｔａｌ  ｎｕｍｂｅｒ  ｏｆ  ｃｏｄｅ：  以下、ＴＮＣと称する）は＜数１＞によって計算される。
【００４２】
【数１】
0003614413.tif 000005
【００４３】
前記ＯＶＳＦコード情報を伝送するために要求されるビット数は、Ｒ（ｌｏｇ２ＴＮＣ）である。
【００４４】
本発明によるＯＶＳＦコード情報を伝送するために要求されるビット数と従来技術におけるＯＶＳＦコード情報を伝送するために要求されるビット数を表４を参照して比較する。
【００４５】
【表４】
0003614413.tif 000006
【００４６】
表４に示すように、本発明におけるＯＶＳＦコード情報は、従来の技術におけるＯＶＳＦコード情報より少数のビットを利用して伝送されることができる。つまり、従来の技術においては、使用者データに割り当てられるＯＶＳＦコードのＳＰ及びＮＣに対してそれぞれＯＶＳＦコード情報を構成するが、本発明においては、前記使用者データに割り当てられるＯＶＳＦコードに対して、オフセット及びコード数を考慮して発生できる全てのＯＶＳＦコード情報を形成した後、前記形成された全てのＯＶＳＦコード情報をＯＶＳＦコード情報テーブルの形態で予め貯蔵している。ここで、前記使用者データに割り当てられるＯＶＳＦコードに対して発生できる全てのＯＶＳＦコード情報を形成する過程は、通常のＯＶＳＦコード情報形成過程と同一であるので、その詳細な説明は省略する。前記論理的識別子は、割り当てられるＯＶＳＦコードのオフセット及び個数を示す。
【００４７】
形成できる全てのケースのＯＶＳＦコード情報は、多様な方法によって論理的識別子にマッピングされることができる。例えば、ＮＵ＝ＮＨのケースのＯＶＳＦコード情報は、論理的識別子０に設定され、他のケースおＯＶＳＦコード情報は、以前のＯＶＳＦコード情報から１ずつ増加させるように設定されるか、それともその反対に設定される。
【００４８】
表５は、ＯＶＳＦコードツリー上で、ＳＦ＝１６である７番目のＯＶＳＦコード乃至１６番目のＯＶＳＦコード、つまり、Ｃ（１６，６）乃至Ｃ（１６，１５）までの１０個のＯＶＳＦコードが前記ＨＳＤＰＡ通信システムに割り当てられる時、ＯＶＳＦコード情報を論理的識別子にマッピングする例を示す。
【００４９】
【表５】
0003614413.tif 000007
【００５０】
前述したＯＶＳＦコード情報テーブルは、前記ノードＢによって生成されることができ、または、上位階層、例えば、ＲＮＣ（Ｒａｄｉｏ  Ｎｅｔｗｏｒｋ  ｃｏｎｔｒｏｌｌｅｒ）によって生成されることができる。
【００５１】
以下、前記ＨＳＤＰＡ通信システムにおいて、前記ＯＶＳＦコード情報テーブルを利用してＯＶＳＦコード情報を送受信する送信器及び受信器の内部構成を図４及び図５を参照して説明する。
【００５２】
図４は、本発明の実施形態によるＨＳＤＰＡ通信システムにおいて、使用者データに割り当てられるＯＶＳＦコードに関する情報を送信するための送信器のブロック図である。
【００５３】
図４を参照すると、前記送信器は、前記ＨＳＤＰＡ通信システムのノードＢに存在し、ＨＳ−ＤＳＣＨを通して使用者データを伝送し、ダウンリンク制御チャネルを通して制御情報を伝送する。前記送信器は、ＡＭＣ制御器４０１、スケジューラ４０２、伝送バッファ４０３、ターボエンコーダ４０４、使用者データ送信器４０５、制御情報生成器４０６、チャネルエンコーダ４０７、制御データ送信器４０８、及びＯＶＳＦコード情報テーブル４０９から構成される。
【００５４】
前記伝送バッファ４０３は、上位階層において生成された使用者データをバッファリングし、前記スケジューラ４０２の制御によって前記バッファリングされた前記使用者データを前記ターボエンコーダ４０４に出力する。前記ターボエンコーダ４０４は、前記伝送バッファ４０３から受信された使用者データを前記ＡＭＣ制御器４０１の制御によってターボエンコーディングする。前記使用者データ送信器４０５は、前記ターボエンコーディングされた信号を前記ＡＭＣ制御器４０１から受信されたＭＳＣレベルによって変調し、前記スケジューラ４０２から受信されたＯＶＳＦコード情報によって前記変調された信号をチャネル化し、その結果の信号を無線リンクを通して対応するＵＥに伝送する。前記ＡＭＣ制御器４０１は、前記ＵＥから受信される制御情報に基づいて、前記ＵＥに適したＭＣＳレベル及び変調方式を決定する。
【００５５】
前記スケジューラ４０２は、前記ＨＳＤＰＡ通信システムを使用する他のＵＥの使用者データの量及び種類を考慮して、対応するＵＥの使用者データの伝送時点及びＯＶＳＦコードを決定する。それから、前記スケジューラ４０２は、前記ＯＶＳＦコード情報テーブル４０９において割り当てられるＯＶＳＦコードに対応する論理的識別子を検出し、前記論理的識別子を前記制御情報生成器４０６に出力する。さらに、前記ＡＭＣ制御器４０１は、前記ＭＣＳレベル情報を前記制御情報生成器４０６に出力する。
【００５６】
前記制御情報生成器４０６は、前記ＭＣＳレベル情報及び前記論理的識別子を無線チャネルに適したフォーマットに変換する。例えが、前記制御情報がＤＰＣＣＨを通して伝送される場合、前記制御情報生成器４０６は、前記制御情報を前記ＤＰＣＣＨの伝送フォーマット（ｔｒａｎｓｍｉｔ  ｆｏｒｍａｔ）に変換する。前記チャネルエンコーダ４０７は、前記制御情報生成器４０６から受信された制御情報に対してコンボルーションコーディング方式またはターボコーディングのようなチャネルエンコーディング方式によってチャネルエンコーディングを遂行する。前記制御データ送信器４０８は、前記チャネルエンコーディングされた制御情報に対して変調及びチャネル化を遂行し、その結果の制御情報を前記無線リンクを通して前記ＵＥに伝送する。
【００５７】
図５は、本発明の実施形態によるＨＳＤＰＡ通信システムにおいて前記ＯＶＳＦコード情報を受信するための受信器のブロック図である。
【００５８】
図５を参照すると、前記受信器は、前記ＵＥに存在し、前記ＨＳ−ＤＳＣＨを通して使用者データを受信し、ダウンリンク制御チャネルを通して制御情報を受信する。前記受信器は、制御データ受信器５０１、チャネルデコーダ５０２、制御情報解読器５０３、使用者データ受信器５０４、ターボデコーダ５０５、受信バッファ５０６、及びＯＶＳＦコード情報テーブルから構成される。
【００５９】
無線リンクを通してデータが前記受信器に受信されると、前記受信データは、前記制御データ受信器５０１及び前記使用者データ受信器５０４に入力される。前記無線リンクは、ダウンリンク制御情報を送信するために前記ＵＥと前記ノードＢとの間に予め設定されたチャネルであり、例えば、ＤＰＣＣＨがある。前記制御データ受信器５０１は、前記受信されたデータに対して逆拡散（ｄｅｓｐｒｅａｄｉｎｇ）及び復調（ｄｅｍｏｄｕｌａｔｉｏｎ）を遂行する。
【００６０】
前記チャネルデコーダ５０２は、前記制御データ受信器５０１から受信された信号をチャネルデコーディングする。前記制御情報解読器５０３は、前記チャネルデコーダ５０２から受信された制御データからＭＣＳレベル情報及びＯＶＳＦコード情報を解読する。前記ＭＣＳレベル情報は、前記使用者データ受信器５０４及び前記ターボデコーダ５０５に出力され、前記ＯＶＳＦコード情報は、前記使用者データ受信器５０４に出力される。
【００６１】
前記制御情報解読器５０３は、前記ＯＶＳＦコード情報を解読するために、前記受信された制御データから前記ＯＶＳＦコード情報を示す論理的識別子を検出し、前記ＯＶＳＦコード情報テーブル５０７において前記論理的識別子に対応するオフセット及びＮＣを示すＯＶＳＦコード情報を検索し、前記検索されたＯＶＳＦコード情報を前記使用者データ受信器５０４に出力する。前記ＭＣＳレベル及び前記ＯＶＳＦコード情報を利用して、前記受信器は、使用者データを前記ノードＢから無線リンクを通して受信する。
【００６２】
前記使用者データ受信器５０４は、前記ＯＶＳＦコード情報及び前記ＭＣＳレベル情報を利用して、前記受信データに対して逆拡散及び復調を遂行する。前記ターボデコーダ５０５は、前記使用者データ受信器５０４から受信された信号を、ＭＣＳレベル情報を利用して、前記送信器において使用されたターボエンコーディング方式に対応する方式によってターボデコーディングする。前記受信バッファ５０６は、前記ターボデコーディングされた信号に対してバッファリングを遂行し、前記バッファリングされた使用者データを所定の制御によって該当する時点で上位階層に伝達する。
【００６３】
一方、前記説明において、前記オフセット情報及びコード数情報を考慮して論理的識別子にマッピングして情報を送信する例を説明した。ここで、前記論理的識別子にマッピングして前記ＯＶＳＦコード情報を伝送する方法は、様々な方法に変更できる。つまり、前述したように、全てのケースを考慮して前記論理的識別子にマッピングすることもでき、前記オフセット情報及びコード数に関する情報を適切に組み合わせて最小のビット数で前記情報をマッピングして送信することもできる。例えば、コードの数に関する情報に第１個数のビット、例えば、３ビットを割り当て、前記オフセット情報に第２個数のビット、例えば、４ビットを割り当てて前記ＯＶＳＦコードを表現する。しかしながら、前記のようにコード数情報及びオフセット情報を表現するために、それぞれ第１個数及び第２個数のビットを割り当てて前記ＯＶＳＦコード情報を決定する時、前記ＨＳＤＰＡ通信システムにおいて割り当てできる全体ＯＶＳＦコードの数が変更（増加）される場合、前記コードの数に関する情報を第２個数のビットで表現し、前記オフセットに関する情報を第１個数のビットで表現して、増加した全体ＯＶＳＦコードを表現する。つまり、前記オフセット情報及び前記コードの数のうち少なくとも１つは、前記ＨＳＤＰＡ通信システムにおいて割り当てできる最大ＯＶＳＦコード数が表現できるビットの数で構成することができる。本発明において、前記ＨＳＤＰＡ通信システムに割り当てられるＯＶＳＦコード情報を前記オフセット情報及びコードの数情報を利用して最適化したビット数で構成して送信することが目的であることは明らかである。
【００６４】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００６５】
【発明の効果】
前述したように本発明は、ＨＳＤＰＡ通信システムにおいて、オフセット及びコード数を考慮して、使用者データに割り当てできる全てのケースのＯＶＳＦコードをそれぞれ論理的識別子に対応させてＯＶＳＦコード情報テーブルとして生成した後、該当のＵＥに伝送する使用者データに割り当てられるＯＶＳＦコード情報を前記ＯＶＳＦコード情報テーブル上の論理的識別子として伝送する。それによって、前記ＨＳＤＰＡ通信システムにおいて、使用者データに割り当てられるＯＶＳＦコード情報を、従来のＯＶＳＦコード情報より少ないビットを利用して伝送することが可能になって、効率的な情報送受信ができるという利点がある。さらに、前記ＯＶＳＦコード情報を伝送するために要求されるビットの数を少なくすることによって、資源効率性が増加するという利点がある。
【図面の簡単な説明】
【図１】通常の高速データパケット接続通信システムにおいて、ＯＶＳＦコード割り当ての例を示す図である。
【図２】通常の高速データパケット接続通信システムにおいて、使用者データに割り当てられるＯＶＳＦコード情報を送信するための送信器のブロック図である。
【図３】通常の高速データパケット接続通信システムにおいて、使用者データに割り当てられるＯＶＳＦコード情報を受信するための受信器のブロック図である。
【図４】本発明の実施形態による高速データパケット接続通信システムにおいて、使用者データに割り当てられるＯＶＳＦコード情報を送信するための送信器のブロック図である。
【図５】本発明の実施形態による高速データパケット接続通信システムにおいて、使用者データに割り当てられるＯＶＳＦコード情報を受信するための受信器のブロック図である。
【符号の説明】
４０１  ＡＭＣ制御器
４０２  スケジューラ
４０３  伝送バッファ
４０４  ターボエンコーダ
４０５  使用者データ送信器
４０６  制御情報生成器
４０７  チャネルエンコーダ
４０８  制御データ送信器
４０９  ＯＶＳＦコード情報テーブル
【図１】
0003614413.tif 000008
【図２】
0003614413.tif 000009
【図３】
0003614413.tif 000010
【図４】
0003614413.tif 000011
【図５】
0003614413.tif 000012